(57)【要約】      （修正有）【課題】布団の洗濯・乾燥において、型崩れを防止する布団巻きネットを提供する。【解決手段】布団巻きネット１００は、長方形の布団巻きネット１００であり、表面長手方向の３箇所に並行に設けられた横補強テープ体１１０ａ〜１１０ｃと、１段目の横補強テープ体１１０ａの左右のネット外に近接して設けられた折返し環状部材１２０ａ、１２０ｂと、３段目の横補強テープ体１１０ｃの左右のネット外延長部に取り付けられた第１の面ファスナー体１３０ａ、１３０ｂと、ネットの短手方向の４箇所に等間隔で取り付けられた縦補強テープ体１４０ａ〜１４０ｄと、縦補強テープ体の上側ネット外に近接して取り付けられた折返し環状部材１５０ａ〜１５０ｄと、縦補強テープ体と１段目の横補強テープ体との交差位置から縦補強テープ体下側のネット外延長部までに取り付けられた第２の面ファスナー体１７０ａ〜１７０ｄと、ネットの裏側長手方向の上側左右のコーナに取り付けられた布団取付用コーナベルトと、を具備する。【選択図】図１
0003228817.tif 000002
【実用新案登録請求の範囲】
【請求項１】
布団を洗濯・乾燥する洗濯乾燥機に使用する長方形の布団巻きネットであって、
前記長方形のネットの表面長手方向の少なくとも３箇所に並行に設けられた１段目乃至３段目の横補強テープ体と、
１段目の横補強テープ体の左右のネット外に近接して設けられた２つの折返し環状部材と、
３段目の横補強テープ体の左右のネット外延長部に取り付けられた２つの第１マジックテープ体と、
前記長方形のネットの短手方向に少なくとも４箇所に等間隔で取り付けられた少なくとも４つの縦補強テープ体と、
前記４つの縦補強テープ体の上側ネット外に近接して取り付けられた少なくとも４つの折返し環状部材と、
前記４つの縦補強テープ体と前記１段目の横補強テープ体との少なくとも４つの第１交差位置から前記４つの縦補強テープ体の下側のネット外延長部までに取り付けられた少なくとも４つの第２マジックテープ体と、
前記長方形のネットの裏側長手方向の上側左右のコーナに取り付けられた２つの布団取付用コーナベルトと、
を具備することを特徴とする布団巻きネット。
【請求項２】
２段目の横補強テープ体は前記長方形のネットの外側短手方向の略中央に取り付けられ、
前記４つの第２マジックテープ体を取り付けた前記４つの縦補強テープ体は、前記４つの第１交差位置と、および前記２段目の横補強テープ体との４つの第２交差位置とにおいて縫い合わせられていることを特徴とする請求項１に記載の布団巻きネット。
【請求項３】
前記４つの第２交差位置より下側の前記長方形のネットを、ロール状に丸めた前記布団に覆いかぶせることを特徴とする請求項２に記載の布団巻きネット。
【請求項４】
前記２つの布団取付用コーナベルトに前記布団のコーナ部が収納され、ロール状に丸めた時、前記４つの縦補強テープ体の延長部が対応する前記４つの折返し環状部材に貫通して折返し、その折返しにより向かい合う前記４つの第２マジックテープ体にてマジックテープ留めされることを特徴とする請求項１に記載の布団巻きネット。
【請求項５】
前記２つの布団取付用コーナベルトに前記布団のコーナ部が収納されてロール状に丸めた時、前記３段目の横補強テープ体の左右のネット外延長部が対応する前記２つの折返し環状部材に貫通して折返し、その折返しにより向かい合う前記２つの第１マジックテープ体にてマジックテープ留めされることを特徴とする請求項１に記載の布団巻きネット。
【請求項６】
前記縦補強テープ体は、前記長方形のネットの短手方向に５つが等間隔で取り付けられることを特徴とする請求項１に記載の布団巻きネット。
【請求項７】
前記横補強テープ体は、前記長方形のネットの外側長手方向の４つが並行に設けられ、
４段目の横補強テープ体は、前記３段目の横補強テープ体の下側に位置し、その左右のネット外に近接して２つの折返し環状部材が取り受けられることを特徴とする請求項１に記載の布団巻きネット。
【請求項８】
前記３段目の横補強テープ体の左右の前記延長部は、前記２つの第１マジックテープ体と一体化した形状であることを特徴とする請求項１に記載の布団巻きネット。
【請求項９】
５つの縦補強テープ体は、前記第１交差位置の上側を除く全長８５ｃｍが５つのマジックテープ体と一体化した形状であることを特徴とする請求項６に記載の布団巻きネット。
【考案の詳細な説明】
【技術分野】
【０００１】
本考案の実施形態は、布団を洗濯乾燥機に入れて、洗濯および又は乾燥する際に使用する布団巻きネットに関する。
【背景技術】
【０００２】
新型コロナウイルスによる感染病の拡大に伴い、国民はウイルスに対して過敏な反応を示すようになってきている。手洗いやマスクの他に、例えば、身の回りの品物に対し頻繁に消毒を実施するようになり、また出来るだけ清潔なもの身に着けるようになってきている。毎日使用する布団についても、雑菌を消毒するために、コインランドリーの大型洗濯乾燥機によって洗濯・乾燥する人が増えてきている。また、布団を洗濯・乾燥して届けるサービス業なども出現している。
【０００３】
ところで、コインランドリーの大型洗濯乾燥機を用いて、布団を洗濯・乾燥する際には、布団の型崩れを防止するため、および効率よく綺麗に洗濯・乾燥するために、布団巻きネットを使用することが有効であることが知られている。その布団巻きネット内に布団をロール状に丸めて収納して、そのまま大型洗濯乾燥機内に入れて洗濯・乾燥することが実施されている。布団巻きネットの一例として、特許文献１には布団バンドおよび布団バンド体が開示されている。
【０００４】
図７と図８には、特許文献１の図３と図４に開示されている布団バンド体の概略形状を示している。なお、図７は表側（外側）から見た布団バンド体を示し、図８は布団を収納する裏側（内側）から見た布団バンド体を示している。
【０００５】
従来の布団バンド体は、長方形の布団バンド体１０の長手方向に３本の横補強テープ体２０ａ，２０ｂ，２０ｃがミシン掛けにより並行に取り付けられている。３本の横補強テープ体２０ａ，２０ｂ，２０ｃは、短手方向に略同じ間隔を有して設けられる。また、短手方向に４本の縦補強テープ体３０ａ，３０ｂ，３０ｃ，３０ｄがミシン掛けにより並行に取り付けられている。４本の縦補強テープ体３０ａ，３０ｂ，３０ｃ，３０ｄは、長手方向に略同じ間隔を有して設けられる。
【０００６】
そして、外側の縦補強テープ体３０ａ，３０ｂ，３０ｃ，３０ｄには、その中央から下部（約３８ｃｍ）にかけて、第１マジックテープ（登録商標）体４０ａ，４０ｂ，４０ｃ，４０ｄがミシン掛けにより取り付けられている。また縦補強テープ３０ａ，３０ｂ，３０ｃ，３０ｄは、布団バンド体１０から突出して、ネット外に所定の長さ（例えば２５ｃｍ）の突出部を有している。そして、図８に示すように、その突出部の内側面の中央から最上部にかけて約１５ｃｍの第２マジックテープ体４０ａａ，４０ｂｂ，４０ｃｃ，４０ｄｄがミシン掛けにより取り付けられている。更に、布団バンド体１０の内側の左右の上コーナには、布団取付用コーナベルト５０ａ，５０ｂの両端が取付られる構造であった。
【先行技術文献】
【特許文献】
【０００７】
【特許文献１】実用新案登録第３２１９３５７号公報
【考案の概要】
【考案が解決しようとする課題】
【０００８】
図９は布団バンド体１０の使用例を示し、布団バンド体１０を図８に示す状態に広げ、洗濯・乾燥したい布団の長手方向の上側両端（表と裏は問わない）を布団取付用コーナベルト５０ａ，５０ｂに挿入して、布団と布団バンド体１０を短手方向にロール状に丸める。すると、外側の第１マジックテープ体４０ａ，４０ｂ，４０ｃ，４０ｄが内側の第２マジックテープ体４０ａａ，４０ｂｂ，４０ｃｃ，４０ｄｄに徐々に接近して、第１マジックテープ体４０ａ，４０ｂ，４０ｃ，４０ｄに対向する第２マジックテープ体４０ａａ，４０ｂｂ，４０ｃｃ，４０ｄｄを押し付けてマジックテープ留め（ファスナ留め）して固定していた。
【０００９】
このような従来の布団バンド体１０では、長時間の洗濯・乾燥の回転動作においてマジックテープ体が外れるなどの問題があった。すなわち、第２マジックテープ体４０ａａ，４０ｂｂ，４０ｃｃ，４０ｄｄの長さは１５ｃｍしかなく、第１マジックテープ体４０ａ，４０ｂ，４０ｃ，４０ｄとの接続長が短い。したがって、例えば、洗濯時の脱水動作では、水分を大量に含んだ重い布団を高速回転させて、その含んだ水分を振り落として脱水する動作が実施されるため、マジックテープ留めが甘いと（使い慣れていない人に起こる現象）、その箇所に大きな負荷が掛かって外れることがあった。その結果、洗濯・乾燥中に布団が型崩れを起こしてしまうことになり、布団を台無しにしてしまうおそれがあった。更に、布団バンド体１０に両端部は何も施されていないので、両端部から布団のズレが発生するおそれもあった。
本考案が解決しようとする課題は、布団の洗濯・乾燥において型崩れを起こすおそれのない布団巻きネットを提供することを目的とする。
【課題を解決するための手段】
【００１０】
実施形態に係る布団巻きネットは、布団を洗濯・乾燥する洗濯乾燥機に使用する長方形の布団巻きネットであって、前記長方形のネットの表面長手方向の少なくとも３箇所に並行に設けられた１段目乃至３段目の横補強テープ体と、１段目の横補強テープ体の左右のネット外に近接して設けられた２つの折返し環状部材と、３段目の横補強テープ体の左右のネット外延長部に取り付けられた２つの第１マジックテープ体と、前記長方形のネットの短手方向に少なくとも４箇所に等間隔で取り付けられた少なくとも４つの縦補強テープ体と、前記４つの縦補強テープ体の上側ネット外に近接して取り付けられた少なくとも４つの折返し環状部材と、前記４つの縦補強テープ体と前記１段目の横補強テープ体との少なくとも４つの第１交差位置から前記４つの縦補強テープ体の下側のネット外延長部までに取り付けられた少なくとも４つの第２マジックテープ体と、前記長方形のネットの裏側長手方向の上側左右のコーナに取り付けられた２つの布団取付用コーナベルトと、を具備することを特徴とする。
【図面の簡単な説明】
【００１１】
【図１】実施形態に係る布団巻きネットの表面（外側）から見た概略形状を示す図である。
【図２】実施形態に係る布団巻きネットの裏面（内側）から見た概略形状を示す図である。
【図３】実施形態に係る布団巻きネットの一部のマジックテープ留めの状態を示す図である。
【図４】実施形態に係る布団巻きネットの一方の端部のマジックテープ留めの状態を示す図である。
【図５】実施形態に係る布団巻きネットを用いて、布団を巻いてマジックテープ留めした状態を示す図である。
【図６】実施形態に係る布団巻きネットを布団用の洗濯乾燥機に装填したときの図である。
【図７】従来の布団バンド体の表面（外側）から見た概略形状を示す図である。
【図８】従来の布団バンド体の裏面（内側）から見た概略形状を示す図である。
【図９】従来の布団バンド体を用いて、布団を巻いてマジックテープ留めした状態を示す図である。
【考案を実施するための形態】
【００１２】
以下、図面を参照して本考案の実施形態に係る布団巻きネットを説明する。
図１は、実施形態に係る布団巻きネットの表面（外側）から見た概略形状を示す。図２は、実施形態に係る布団巻きネットの裏面（内側）から見た概略形状を示す。図３は、実施形態に係る布団巻きネットの一部の短手方向のマジックテープ留めの状態を示す。図４は、実施形態に係る布団巻きネットの一方の端部のマジックテープ留めの状態を示す。図５は、実施形態に係る布団巻きネットを用いて、布団を巻いてマジックテープ留めした状態を示す。
【００１３】
実施形態の布団巻きネット１００は、例えば縦７０ｃｍ、横２００ｃｍの縁取りされた長方形の形状を有している。布団巻きネット１００の長方形ネットの長手方向には、約４ｃｍ幅の４つの横補強テープ体１１０ａ，１１０ｂ，１１０ｃ，１１０ｄがミシン掛けにより並行に取り付けられている。４本の横補強テープ体１１０ａ，１１０ｂ，１１０ｃ，１１０ｄは、短手方向から見て均等な間隔ではなく、一段目（図１の上部に位置する）の横補強テープ体１１０ａと２段目（略中央に位置する）の横補強テープ体１１０ｂは、離れた位置にある。２段目以降の横補強テープ体１１０ｂ，１１０ｃ，１１０ｄは、略同じ間隔を有して配置されている。その内、１段目の横補強テープ体１１０ａと４段目（下部に位置する）の横補強テープ体１１０ｄには、その両端のネット外に近接して折返し環状部材（金具）１２０ａ，１２０ｂ，１２０ｃ，１２０ｄが取り付けられている。折返し環状部材１２０ａと１２０ｃは、後述するファスナ機能を有するマジックテープ体１３０ａによる端部留めに用いられる。折返し環状部材１２０ｂと１２０ｄは、後述するファスナ機能を有するマジックテープ体１３０ｂによる端部留めに用いられる。
【００１４】
また、３段目の横補強テープ体１１０ｃの両端は、ネット外に約３０ｃｍ程度延長されており、その延長部に約４ｃｍ幅のマジックテープ体１３０ａ，１３０ｂがミシン掛けにより取り付けられている。つまり、横補強テープ体１１０ｃの両端ネット外の延長部（約３０ｃｍ）は、マジックテープ体１３０ａ，１３０ｂと一体化した形状となっている。この３段目の横補強テープ体１１０ｃは、２段目の横補強テープ体１１０ｂと４段目の横補強テープ体１１０ｄの間（略中間）に取り付けられている。４段目の横補強テープ体１１０ｄの折返し環状部材１２０ｂと１２０ｄは、薄い布団又は毛布類を洗濯・乾燥するときに使用するものであり、通常サイズの布団の場合は、必要とするものではない。
【００１５】
布団巻きネット１００の長方形ネットの短手方向には、約４ｃｍ幅の５箇所の縦補強テープ体１４０ａ，１４０ｂ，１４０ｃ，１４０ｄ，１４０ｅがミシン掛けにより略等間隔に並行に取り付けられている。縦補強テープ体１４０ａ，１４０ｂ，１４０ｃ，１４０ｄ，１４０ｅには、その上端外に近接して折返し環状部材（金具）１５０ａ，１５０ｂ，１５０ｃ，１５０ｄ，１５０ｅが取り付けられている。例えば、折返し環状部材１５０ａは、後述するマジックテープ体１７０ａによる布団胴体部留めに用いられる。同様に、折返し環状部材１５０ｂ，１５０ｃ，１５０ｄ，１５０ｅは、それぞれに対応する後述のマジックテープ体１７０ｂ，１７０ｃ，１７０ｄ，１７０ｅによる布団胴体部留めに用いられる。
【００１６】
更に、縦補強テープ体１４０ａ，１４０ｂ，１４０ｃ，１４０ｄ，１４０ｅの下端は、ネット外に約２５ｃｍ程度延長している。したがって、縦補強テープ体１４０ａ，１４０ｂ，１４０ｃ，１４０ｄ，１４０ｅの全長は約９５ｃｍである。そして、例えば縦補強テープ体１４０ａには、その１段目の横補強テープ体１１０ａとの交差位置１６０ａの下から延長部に至り約４ｃｍ幅のマジックテープ体１７０ａがミシン掛けにより取り付けられている。他の縦補強テープ体１４０ｂ，１４０ｃ，１４０ｄ，１４０ｅにも、１段目の横補強テープ体１１０ａとの交差位置１６０ｂ，１６０ｃ，１６０ｄ，１６０ｅの下から延長部に至り約４ｃｍ幅のマジックテープ体１７０ｂ，１７０ｃ，１７０ｄ，１７０ｅがミシン掛けにより取り付けられている。ファスナ機能を有するマジックテープ体１７０ａ，１７０ｂ，１７０ｃ，１７０ｄ，１７０ｅの全長は、約８５ｃｍである。
【００１７】
つまり、縦補強テープ体１４０ａ，１４０ｂ，１４０ｃ，１４０ｄ，１４０ｅは、上部（交差位置１６０ｂ，１６０ｃ，１６０ｄ，１６０ｅの上側）を除く、全長８５ｃｍがマジックテープ体１７０ａ，１７０ｂ，１７０ｃ，１７０ｄ，１７０ｅと一体化した形状である。マジックテープ体１７０ａ，１７０ｂ，１７０ｃ，１７０ｄ，１７０ｅは折返して使用するため、約４×４０ｃｍ程度の接続面を最大確保できる。通常の大きさを有する布団をロール状に丸めてマジックテープ留めした場合でも、約４×２０ｃｍ程度、又はそれ以上の接続面が確保できる。
【００１８】
マジックテープ体１７０ａ，１７０ｂ，１７０ｃ，１７０ｄ，１７０ｅが取り付けられた縦補強テープ体１４０ａ，１４０ｂ，１４０ｃ，１４０ｄ，１４０ｅは、１段目の横補強テープ体１１０ａとの交差位置１６０ａ，１６０ｂ，１６０ｃ，１６０ｄ，１６０ｅと、２段目の横補強テープ体１１０ｂとの交差位置１８０ａ，１８０ｂ，１８０ｃ，１８０ｄ，１８０ｅとにおいて縫い合わせ固定されている。しかしながら、２段目の交差位置１８０ａ，１８０ｂ，１８０ｃ，１８０ｄ，１８０ｅの下から延長部まではフリーな状態である。つまり、２段目の交差位置１８０ａ，１８０ｂ，１８０ｃ，１８０ｄ，１８０ｅより下側の布団巻きネットは、布団の丸め動作に連動して可動（布団を覆い被せる）する。
【００１９】
一方、布団巻きネット１００の内側（布団取付面）には、図２に示すように、その上側コーナに布団取付用コーナベルト１９０ａ，１９０ｂが取り付けられている。布団を洗濯・乾燥する場合、最初に図２に示す状態に布団巻きネット１００をテーブル等に敷き広げる。そして、布団の上側コーナ部を布団取付用コーナベルト１９０ａ，１９０ｂに挿入して、布団の上端部の位置を整えてロール状に丸める。なお、図２の横補強テープ体１１０ａ，１１０ｂ，１１０ｃ，１１０ｄと縦補強テープ体１４０ａ，１４０ｂ，１４０ｃ，１４０ｄ，１４０ｅは、図１と同じ材質であるが、図２では裏側に位置することを表現するため、図１とは異なるハッチングで表現している。
【００２０】
図３は、実施形態に係る布団巻きネット１００の一部の縦補強テープ体１４０ｂ，１４０ｃにおけるロール状に丸めた布団のマジックテープ留め（ファスナ留め）を示す。図３において、縦補強テープ体１４０ｂでは、縦補強テープ体１４０ｂの延長部が折返し環状部材１５０ｂを貫通して折り返して、その折返しにより向かい合うマジックテープ体１７０ｂでファスナ機能を利用してマジックテープ留めした状態を示している。一方、縦補強テープ体１４０ｃでは、縦補強テープ体１４０ｃの延長部が折返し環状部材１５０ｃを貫通して、マジックテープ体１７０ｃに向けて折り返している状態を示している。
【００２１】
このように、布団巻きネット１００上に敷き広げた布団を下側（折返し環状部材の反対側）からロール状に丸めた状態で布団巻きネット１００で覆い、５箇所の縦補強テープ体１４０ａ，１４０ｂ，１４０ｃ，１４０ｄ，１４０ｅの延長部を対応する折返し環状部材１５０ａ，１５０ｂ，１５０ｃ，１５０ｄ，１５０ｅに貫通して折り返して、その折返しにより向かい合うマジックテープ体１７０ａ，１７０ｂ，１７０ｃ，１７０ｄ，１７０ｅによってマジックテープ留めすることで、約２０ｃｍ以上の長さで強固に固定（ファスナ留め）することができる。
【００２２】
図４は、実施形態に係る布団巻きネット１００の一方の端部のマジックテープ留めの状態を示す。ここでは、折返し環状部材１２０ａに横補強テープ体１１０ｃの左側の延長部が貫通して手前側に折り返し、その折返しにより向かい合うマジックテープ体１３０ａにマジックテープ留めされている状態を示す。横補強テープ体１１０ｃの反対側の延長部においても同様に、マジックテープ体１３０ｂを用いたマジックテープ留めが実施されている。したがって、布団巻きネット１００の両端部もしっかりとマジックテープ留めが施されることから、両端部からの布団のズレを防ぐごとができる。
【００２３】
図５は、実施形態に係る布団巻きネット１００を用いて、布団をロール状に丸めてマジックテープ留めした全体の状態を示す。このように布団巻きネット１００を用いて、布団を太い棒状に形成して、これを図６に示すように大型洗濯乾燥機内に収納して洗濯・乾燥を行う。布団巻きネット１００を大型洗濯乾燥機内に収納する際は、縦回転するドラムの中央下部に布団巻きネット１００の中央部を納めてから、ドラムの円周に沿って布団巻きネット１００を収納すれば、簡単に作業することができる。
【００２４】
このように実施形態の布団巻きネットによれば、少なくとも４箇所の縦補強テープ体に延長部を有するように構成し、その長い縦補強テープ体に長いマジックテープ体を一体的に取り付けた構成となっているので、不慣れな人であっても、強固なマジックテープ留めとすることができる。これにより、布団の洗濯・乾燥において型崩れを起こすおそれがなくなる。また、布団巻きネットの両端部もマジックテープ留めを施すことができるため、両端部からのズレを防止することができる。更に、５箇所の縦補強テープ体に取り付けたマジックテープ体の全長が８５ｃｍと長く、通常の大きさの布団であれば少なくとも２０ｃｍ、又はそれ以上のマジックテープ留め領域を確保することができる。
【００２５】
本考案の実施形態は、例として提示したものであり、実用新案登録請求の範囲を限定することは意図していない。これらの新規な実施形態は、その他の様々な形態で実施されることが可能であり、考案の要旨を逸脱しない範囲で、種々の省略、置き換え、変更を行うことができる。これらの実施形態やその変形は、考案の範囲や要旨に含まれるとともに、実用新案登録請求の範囲に記載された考案とその均等の範囲に含まれる。
【符号の説明】
【００２６】
１００…布団巻きネット
１１０ａ，１１０ｂ，１１０ｃ，１１０ｄ…横補強テープ体
１２０ａ〜１２０ｄ，１５０ａ〜１５０ｅ…折返し環状部材（金具）
１３０ａ，１３０ｂ，１７０ａ〜１７０ｅ…マジックテープ体
１４０ａ，１４０ｂ，１４０ｃ，１４０ｄ，１４０ｅ…縦補強テープ体
１６０ａ〜１６０ｅ，１８０ａ〜１８０ｅ…交差位置
１９０ａ，１９０ｂ…布団取付用コーナベルト
【図１】
0003228817.tif 000003
【図２】
0003228817.tif 000004
【図３】
0003228817.tif 000005
【図４】
0003228817.tif 000006
【図５】
0003228817.tif 000007
【図６】
0003228817.tif 000008
【図７】
0003228817.tif 000009
【図８】
0003228817.tif 000010
【図９】
0003228817.tif 000011
【手続補正書】
【提出日】令和2年7月30日(2020.7.30)
【手続補正１】
【補正対象書類名】明細書
【補正対象項目名】全文
【補正方法】変更
【補正の内容】
【考案の詳細な説明】
【技術分野】
【０００１】  本考案の実施形態は、布団を洗濯乾燥機に入れて、洗濯および又は乾燥する際に使用する布団巻きネットに関する。
【背景技術】
【０００２】  新型コロナウイルスによる感染病の拡大に伴い、国民はウイルスに対して過敏な反応を示すようになってきている。手洗いやマスクの他に、例えば、身の回りの品物に対し頻繁に消毒を実施するようになり、また出来るだけ清潔なもの身に着けるようになってきている。毎日使用する布団についても、雑菌を消毒するために、コインランドリーの大型洗濯乾燥機によって洗濯・乾燥する人が増えてきている。また、布団を洗濯・乾燥して届けるサービス業なども出現している。【０００３】  ところで、コインランドリーの大型洗濯乾燥機を用いて、布団を洗濯・乾燥する際には、布団の型崩れを防止するため、および効率よく綺麗に洗濯・乾燥するために、布団巻きネットを使用することが有効であることが知られている。その布団巻きネット内に布団をロール状に丸めて収納して、そのまま大型洗濯乾燥機内に入れて洗濯・乾燥することが実施されている。布団巻きネットの一例として、特許文献１には布団バンドおよび布団バンド体が開示されている。【０００４】  図７と図８には、特許文献１の図３と図４に開示されている布団バンド体の概略形状を示している。なお、図７は表側（外側）から見た布団バンド体を示し、図８は布団を収納する裏側（内側）から見た布団バンド体を示している。【０００５】  従来の布団バンド体は、長方形の布団バンド体１０の長手方向に３本の横補強テープ体２０ａ，２０ｂ，２０ｃがミシン掛けにより並行に取り付けられている。３本の横補強テープ体２０ａ，２０ｂ，２０ｃは、短手方向に略同じ間隔を有して設けられる。また、短手方向に４本の縦補強テープ体３０ａ，３０ｂ，３０ｃ，３０ｄがミシン掛けにより並行に取り付けられている。４本の縦補強テープ体３０ａ，３０ｂ，３０ｃ，３０ｄは、長手方向に略同じ間隔を有して設けられる。【０００６】  そして、外側の縦補強テープ体３０ａ，３０ｂ，３０ｃ，３０ｄには、その中央から下部（約３８ｃｍ）にかけて、マジックテープ（登録商標）によって構成される第１の面ファスナー体４０ａ，４０ｂ，４０ｃ，４０ｄがミシン掛けにより取り付けられている。また縦補強テープ３０ａ，３０ｂ，３０ｃ，３０ｄは、布団バンド体１０から突出して、ネット外に所定の長さ（例えば２５ｃｍ）の突出部を有している。そして、図８に示すように、その突出部の内側面の中央から最上部にかけて約１５ｃｍの第２の面ファスナー体４０ａａ，４０ｂｂ，４０ｃｃ，４０ｄｄがミシン掛けにより取り付けられている。更に、布団バンド体１０の内側の左右の上コーナには、布団取付用コーナベルト５０ａ，５０ｂの両端が取付られる構造であった。
【先行技術文献】
【特許文献】
【０００７】
【特許文献１】実用新案登録第３２１９３５７号公報
【考案の概要】
【考案が解決しようとする課題】
【０００８】  図９は布団バンド体１０の使用例を示し、布団バンド体１０を図８に示す状態に広げ、洗濯・乾燥したい布団の長手方向の上側両端（表と裏は問わない）を布団取付用コーナベルト５０ａ，５０ｂに挿入して、布団と布団バンド体１０を短手方向にロール状に丸める。すると、外側の第１の面ファスナー体４０ａ，４０ｂ，４０ｃ，４０ｄが内側の第２の面ファスナー体４０ａａ，４０ｂｂ，４０ｃｃ，４０ｄｄに徐々に接近して、第１の面ファスナー体４０ａ，４０ｂ，４０ｃ，４０ｄに対向する第２の面ファスナー体４０ａａ，４０ｂｂ，４０ｃｃ，４０ｄｄを押し付けて面ファスナー留めして固定していた。【０００９】  このような従来の布団バンド体１０では、長時間の洗濯・乾燥の回転動作において面ファスナー体が外れるなどの問題があった。すなわち、第２の面ファスナー体４０ａａ，４０ｂｂ，４０ｃｃ，４０ｄｄの長さは１５ｃｍしかなく、第１の面ファスナー体４０ａ，４０ｂ，４０ｃ，４０ｄとの接続長が短い。したがって、例えば、洗濯時の脱水動作では、水分を大量に含んだ重い布団を高速回転させて、その含んだ水分を振り落として脱水する動作が実施されるため、面ファスナーによる留めが甘いと（使い慣れていない人に起こる現象）、その箇所に大きな負荷が掛かって外れることがあった。その結果、洗濯・乾燥中に布団が型崩れを起こしてしまうことになり、布団を台無しにしてしまうおそれがあった。更に、布団バンド体１０に両端部は何も施されていないので、両端部から布団のズレが発生するおそれもあった。  本考案が解決しようとする課題は、布団の洗濯・乾燥において型崩れを起こすおそれのない布団巻きネットを提供することを目的とする。
【課題を解決するための手段】
【００１０】  実施形態に係る布団巻きネットは、布団を洗濯・乾燥する洗濯乾燥機に使用する長方形の布団巻きネットであって、前記長方形のネットの表面長手方向の少なくとも３箇所に並行に設けられた１段目乃至３段目の横補強テープ体と、１段目の横補強テープ体の左右のネット外に近接して設けられた２つの折返し環状部材と、３段目の横補強テープ体の左右のネット外延長部に取り付けられた２つの第１の面ファスナー体と、前記長方形のネットの短手方向に少なくとも４箇所に等間隔で取り付けられた少なくとも４つの縦補強テープ体と、前記４つの縦補強テープ体の上側ネット外に近接して取り付けられた少なくとも４つの折返し環状部材と、前記４つの縦補強テープ体と前記１段目の横補強テープ体との少なくとも４つの第１交差位置から前記４つの縦補強テープ体の下側のネット外延長部までに取り付けられた少なくとも４つの第２の面ファスナー体と、前記長方形のネットの裏側長手方向の上側左右のコーナに取り付けられた２つの布団取付用コーナベルトと、を具備することを特徴とする。
【図面の簡単な説明】
【００１１】
【図１】実施形態に係る布団巻きネットの表面（外側）から見た概略形状を示す図である。
【図２】実施形態に係る布団巻きネットの裏面（内側）から見た概略形状を示す図である。
【図３】実施形態に係る布団巻きネットの一部の面ファスナー留めの状態を示す図である。
【図４】実施形態に係る布団巻きネットの一方の端部の面ファスナー留めの状態を示す図である。
【図５】実施形態に係る布団巻きネットを用いて、布団を巻いて面ファスナー留めした状態を示す図である。
【図６】実施形態に係る布団巻きネットを布団用の洗濯乾燥機に装填したときの図である。
【図７】従来の布団バンド体の表面（外側）から見た概略形状を示す図である。
【図８】従来の布団バンド体の裏面（内側）から見た概略形状を示す図である。
【図９】従来の布団バンド体を用いて、布団を巻いて面ファスナー留めした状態を示す図である。
【考案を実施するための形態】
【００１２】  以下、図面を参照して本考案の実施形態に係る布団巻きネットを説明する。  図１は、実施形態に係る布団巻きネットの表面（外側）から見た概略形状を示す。図２は、実施形態に係る布団巻きネットの裏面（内側）から見た概略形状を示す。図３は、実施形態に係る布団巻きネットの一部の短手方向の面ファスナー留めの状態を示す。図４は、実施形態に係る布団巻きネットの一方の端部の面ファスナー留めの状態を示す。図５は、実施形態に係る布団巻きネットを用いて、布団を巻いて面ファスナー留めした状態を示す。
【００１３】  実施形態の布団巻きネット１００は、例えば縦７０ｃｍ、横２００ｃｍの縁取りされた長方形の形状を有している。布団巻きネット１００の長方形ネットの長手方向には、約４ｃｍ幅の４つの横補強テープ体１１０ａ，１１０ｂ，１１０ｃ，１１０ｄがミシン掛けにより並行に取り付けられている。４本の横補強テープ体１１０ａ，１１０ｂ，１１０ｃ，１１０ｄは、短手方向から見て均等な間隔ではなく、一段目（図１の上部に位置する）の横補強テープ体１１０ａと２段目（略中央に位置する）の横補強テープ体１１０ｂは、離れた位置にある。２段目以降の横補強テープ体１１０ｂ，１１０ｃ，１１０ｄは、略同じ間隔を有して配置されている。その内、１段目の横補強テープ体１１０ａと４段目（下部に位置する）の横補強テープ体１１０ｄには、その両端のネット外に近接して折返し環状部材（金具）１２０ａ，１２０ｂ，１２０ｃ，１２０ｄが取り付けられている。折返し環状部材１２０ａと１２０ｃは、後述するファスナー機能を有する面ファスナー体１３０ａによる端部留めに用いられる。折返し環状部材１２０ｂと１２０ｄは、後述するファスナー機能を有する面ファスナー体１３０ｂによる端部留めに用いられる。
【００１４】  また、３段目の横補強テープ体１１０ｃの両端は、ネット外に約３０ｃｍ程度延長されており、その延長部に約４ｃｍ幅のマジックテープ（登録商標）によって構成される面ファスナー体１３０ａ，１３０ｂがミシン掛けにより取り付けられている。つまり、横補強テープ体１１０ｃの両端ネット外の延長部（約３０ｃｍ）は、面ファスナー体１３０ａ，１３０ｂと一体化した形状となっている。この３段目の横補強テープ体１１０ｃは、２段目の横補強テープ体１１０ｂと４段目の横補強テープ体１１０ｄの間（略中間）に取り付けられている。４段目の横補強テープ体１１０ｄの折返し環状部材１２０ｂと１２０ｄは、薄い布団又は毛布類を洗濯・乾燥するときに使用するものであり、通常サイズの布団の場合は、必要とするものではない。
【００１５】  布団巻きネット１００の長方形ネットの短手方向には、約４ｃｍ幅の５箇所の縦補強テープ体１４０ａ，１４０ｂ，１４０ｃ，１４０ｄ，１４０ｅがミシン掛けにより略等間隔に並行に取り付けられている。縦補強テープ体１４０ａ，１４０ｂ，１４０ｃ，１４０ｄ，１４０ｅには、その上端外に近接して折返し環状部材（金具）１５０ａ，１５０ｂ，１５０ｃ，１５０ｄ，１５０ｅが取り付けられている。例えば、折返し環状部材１５０ａは、後述する面ファスナー体１７０ａによる布団胴体部留めに用いられる。同様に、折返し環状部材１５０ｂ，１５０ｃ，１５０ｄ，１５０ｅは、それぞれに対応する後述の面ファスナー体１７０ｂ，１７０ｃ，１７０ｄ，１７０ｅによる布団胴体部留めに用いられる。
【００１６】  更に、縦補強テープ体１４０ａ，１４０ｂ，１４０ｃ，１４０ｄ，１４０ｅの下端は、ネット外に約２５ｃｍ程度延長している。したがって、縦補強テープ体１４０ａ，１４０ｂ，１４０ｃ，１４０ｄ，１４０ｅの全長は約９５ｃｍである。そして、例えば縦補強テープ体１４０ａには、その１段目の横補強テープ体１１０ａとの交差位置１６０ａの下から延長部に至り約４ｃｍ幅のマジックテープ（登録商標）によって構成される面ファスナー体１７０ａがミシン掛けにより取り付けられている。他の縦補強テープ体１４０ｂ，１４０ｃ，１４０ｄ，１４０ｅにも、１段目の横補強テープ体１１０ａとの交差位置１６０ｂ，１６０ｃ，１６０ｄ，１６０ｅの下から延長部に至り約４ｃｍ幅のマジックテープ（登録商標）によって構成される面ファスナー体１７０ｂ，１７０ｃ，１７０ｄ，１７０ｅがミシン掛けにより取り付けられている。ファスナー機能を有する面ファスナー体１７０ａ，１７０ｂ，１７０ｃ，１７０ｄ，１７０ｅの全長は、約８５ｃｍである。
【００１７】  つまり、縦補強テープ体１４０ａ，１４０ｂ，１４０ｃ，１４０ｄ，１４０ｅは、上部（交差位置１６０ｂ，１６０ｃ，１６０ｄ，１６０ｅの上側）を除く、全長８５ｃｍが面ファスナー体１７０ａ，１７０ｂ，１７０ｃ，１７０ｄ，１７０ｅと一体化した形状である。面ファスナー体１７０ａ，１７０ｂ，１７０ｃ，１７０ｄ，１７０ｅは折返して使用するため、約４×４０ｃｍ程度の接続面を最大確保できる。通常の大きさを有する布団をロール状に丸めて面ファスナー留めした場合でも、約４×２０ｃｍ程度、又はそれ以上の接続面が確保できる。
【００１８】 面ファスナー体１７０ａ，１７０ｂ，１７０ｃ，１７０ｄ，１７０ｅが取り付けられた縦補強テープ体１４０ａ，１４０ｂ，１４０ｃ，１４０ｄ，１４０ｅは、１段目の横補強テープ体１１０ａとの交差位置１６０ａ，１６０ｂ，１６０ｃ，１６０ｄ，１６０ｅと、２段目の横補強テープ体１１０ｂとの交差位置１８０ａ，１８０ｂ，１８０ｃ，１８０ｄ，１８０ｅとにおいて縫い合わせ固定されている。しかしながら、２段目の交差位置１８０ａ，１８０ｂ，１８０ｃ，１８０ｄ，１８０ｅの下から延長部まではフリーな状態である。つまり、２段目の交差位置１８０ａ，１８０ｂ，１８０ｃ，１８０ｄ，１８０ｅより下側の布団巻きネットは、布団の丸め動作に連動して可動（布団を覆い被せる）する。
【００１９】  一方、布団巻きネット１００の内側（布団取付面）には、図２に示すように、その上側コーナに布団取付用コーナベルト１９０ａ，１９０ｂが取り付けられている。布団を洗濯・乾燥する場合、最初に図２に示す状態に布団巻きネット１００をテーブル等に敷き広げる。そして、布団の上側コーナ部を布団取付用コーナベルト１９０ａ，１９０ｂに挿入して、布団の上端部の位置を整えてロール状に丸める。なお、図２の横補強テープ体１１０ａ，１１０ｂ，１１０ｃ，１１０ｄと縦補強テープ体１４０ａ，１４０ｂ，１４０ｃ，１４０ｄ，１４０ｅは、図１と同じ材質であるが、図２では裏側に位置することを表現するため、図１とは異なるハッチングで表現している。
【００２０】  図３は、実施形態に係る布団巻きネット１００の一部の縦補強テープ体１４０ｂ，１４０ｃにおけるロール状に丸めた布団の面ファスナー留めを示す。図３において、縦補強テープ体１４０ｂでは、縦補強テープ体１４０ｂの延長部が折返し環状部材１５０ｂを貫通して折り返して、その折返しにより向かい合う面ファスナー体１７０ｂでファスナー機能を利用して面ファスナー留めした状態を示している。一方、縦補強テープ体１４０ｃでは、縦補強テープ体１４０ｃの延長部が折返し環状部材１５０ｃを貫通して、面ファスナー体１７０ｃに向けて折り返している状態を示している。
【００２１】  このように、布団巻きネット１００上に敷き広げた布団を下側（折返し環状部材の反対側）からロール状に丸めた状態で布団巻きネット１００で覆い、５箇所の縦補強テープ体１４０ａ，１４０ｂ，１４０ｃ，１４０ｄ，１４０ｅの延長部を対応する折返し環状部材１５０ａ，１５０ｂ，１５０ｃ，１５０ｄ，１５０ｅに貫通して折り返して、その折返しにより向かい合う面ファスナー体１７０ａ，１７０ｂ，１７０ｃ，１７０ｄ，１７０ｅによって面ファスナー留めすることで、約２０ｃｍ以上の長さで強固に固定（ファスナー留め）することができる。
【００２２】  図４は、実施形態に係る布団巻きネット１００の一方の端部のファスナー留めの状態を示す。ここでは、折返し環状部材１２０ａに横補強テープ体１１０ｃの左側の延長部が貫通して手前側に折り返し、その折返しにより向かい合う面ファスナー体１３０ａに面ファスナー留めされている状態を示す。横補強テープ体１１０ｃの反対側の延長部においても同様に、面ファスナー体１３０ｂを用いた面ファスナー留めが実施されている。したがって、布団巻きネット１００の両端部もしっかりと面ファスナー留めが施されることから、両端部からの布団のズレを防ぐごとができる。
【００２３】  図５は、実施形態に係る布団巻きネット１００を用いて、布団をロール状に丸めて面ファスナー留めした全体の状態を示す。このように布団巻きネット１００を用いて、布団を太い棒状に形成して、これを図６に示すように大型洗濯乾燥機内に収納して洗濯・乾燥を行う。布団巻きネット１００を大型洗濯乾燥機内に収納する際は、縦回転するドラムの中央下部に布団巻きネット１００の中央部を納めてから、ドラムの円周に沿って布団巻きネット１００を収納すれば、簡単に作業することができる。
【００２４】  このように実施形態の布団巻きネットによれば、少なくとも４箇所の縦補強テープ体に延長部を有するように構成し、その長い縦補強テープ体に長い面ファスナー体を一体的に取り付けた構成となっているので、不慣れな人であっても、強固な面ファスナー留めとすることができる。これにより、布団の洗濯・乾燥において型崩れを起こすおそれがなくなる。また、布団巻きネットの両端部も面ファスナー留めを施すことができるため、両端部からのズレを防止することができる。更に、５箇所の縦補強テープ体に取り付けた面ファスナー体の全長が８５ｃｍと長く、通常の大きさの布団であれば少なくとも２０ｃｍ、又はそれ以上の面ファスナー留め領域を確保することができる。
【００２５】  本考案の実施形態は、例として提示したものであり、実用新案登録請求の範囲を限定することは意図していない。これらの新規な実施形態は、その他の様々な形態で実施されることが可能であり、考案の要旨を逸脱しない範囲で、種々の省略、置き換え、変更を行うことができる。これらの実施形態やその変形は、考案の範囲や要旨に含まれるとともに、実用新案登録請求の範囲に記載された考案とその均等の範囲に含まれる。
【符号の説明】
【００２６】１００…布団巻きネット１１０ａ，１１０ｂ，１１０ｃ，１１０ｄ…横補強テープ体、１２０ａ〜１２０ｄ，１５０ａ〜１５０ｅ…折返し環状部材（金具）、１３０ａ，１３０ｂ，１７０ａ〜１７０ｅ…面ファスナー体、１４０ａ，１４０ｂ，１４０ｃ，１４０ｄ，１４０ｅ…縦補強テープ体、１６０ａ〜１６０ｅ，１８０ａ〜１８０ｅ…交差位置、１９０ａ，１９０ｂ…布団取付用コーナベルト  
【手続補正２】
【補正対象書類名】実用新案登録請求の範囲
【補正対象項目名】全文
【補正方法】変更
【補正の内容】
【実用新案登録請求の範囲】
【請求項１】
布団を洗濯・乾燥する洗濯乾燥機に使用する長方形の布団巻きネットであって、  前記長方形のネットの表面長手方向の少なくとも３箇所に並行に設けられた１段目乃至３段目の横補強テープ体と、  １段目の横補強テープ体の左右のネット外に近接して設けられた２つの折返し環状部材と、  ３段目の横補強テープ体の左右のネット外延長部に取り付けられた２つの第１の面ファスナー体と、  前記長方形のネットの短手方向に少なくとも４箇所に等間隔で取り付けられた少なくとも４つの縦補強テープ体と、  前記４つの縦補強テープ体の上側ネット外に近接して取り付けられた少なくとも４つの折返し環状部材と、  前記４つの縦補強テープ体と前記１段目の横補強テープ体との少なくとも４つの第１交差位置から前記４つの縦補強テープ体の下側のネット外延長部までに取り付けられた少なくとも４つの第２の面ファスナー体と、  前記長方形のネットの裏側長手方向の上側左右のコーナに取り付けられた２つの布団取付用コーナベルトと、を具備することを特徴とする布団巻きネット。
【請求項２】
２段目の横補強テープ体は前記長方形のネットの外側短手方向の略中央に取り付けられ、  前記４つの第２の面ファスナー体を取り付けた前記４つの縦補強テープ体は、前記４つの第１交差位置と、および前記２段目の横補強テープ体との４つの第２交差位置とにおいて縫い合わせられていることを特徴とする請求項１に記載の布団巻きネット。
【請求項３】
前記４つの第２交差位置より下側の前記長方形のネットを、ロール状に丸めた前記布団に覆いかぶせることを特徴とする請求項２に記載の布団巻きネット。
【請求項４】
前記２つの布団取付用コーナベルトに前記布団のコーナ部が収納され、ロール状に丸めた時、前記４つの縦補強テープ体の延長部が対応する前記４つの折返し環状部材に貫通して折返し、その折返しにより向かい合う前記４つの第２の面ファスナー体にて面ファスナー留めされることを特徴とする請求項１に記載の布団巻きネット。
【請求項５】
前記２つの布団取付用コーナベルトに前記布団のコーナ部が収納されてロール状に丸めた時、前記３段目の横補強テープ体の左右のネット外延長部が対応する前記２つの折返し環状部材に貫通して折返し、その折返しにより向かい合う前記２つの第１の面ファスナー体にて面ファスナー留めされることを特徴とする請求項１に記載の布団巻きネット。
【請求項６】
前記縦補強テープ体は、前記長方形のネットの短手方向に５つが等間隔で取り付けられることを特徴とする請求項１に記載の布団巻きネット。
【請求項７】
前記横補強テープ体は、前記長方形のネットの外側長手方向の４つが並行に設けられ、  ４段目の横補強テープ体は、前記３段目の横補強テープ体の下側に位置し、その左右のネット外に近接して２つの折返し環状部材が取り受けられることを特徴とする請求項１に記載の布団巻きネット。
【請求項８】
前記３段目の横補強テープ体の左右の前記ネット外延長部は、前記２つの第１の面ファスナー体と一体化した形状であることを特徴とする請求項１に記載の布団巻きネット。
【請求項９】
５つの縦補強テープ体は、前記第１交差位置の上側を除く全長８５ｃｍが５つの面ファスナー体と一体化した形状であることを特徴とする請求項６に記載の布団巻きネット。